(57)【要約】【課題】画像を一定の方向に移動させながら連続再生すること。【解決手段】画像再生部１０３ａは、複数の画像を所定の順番で一定の方向に連続して移動させながら表示して複数の画像を再生する。そして、画像を連続再生しているときに、使用者からの画像の移動方向の変更指示を受け付け、画像の移動方向の変更指示を受け付けた場合には、所定の順序を保持したまま、画像の移動方向を指示された方向に変更する。【選択図】図１
2009047777.tif 000002
【特許請求の範囲】
【請求項１】
複数の画像を所定の順番で一定の方向に連続して移動させながら表示して前記複数の画像を再生する画像連続再生手順と、
前記画像連続再生手順で画像を連続再生しているときに、使用者からの画像の移動方向の変更指示を受け付ける移動方向変更指示受付手順と、
前記移動方向変更指示受付手順で画像の移動方向の変更指示を受け付けたときに、前記所定の順序を保持したまま、前記画像の移動方向を指示された方向に変更する移動方向変更手順とをコンピュータに実行させるための画像表示プログラム。
【請求項２】
請求項１に記載の画像表示プログラムにおいて、
連続再生中の各画像に関連する情報を、各画像に対応付けて表示する関連情報表示手順をさらに含み、
前記関連情報表示手順は、前記画像の移動方向に応じた表示位置に、前記画像に関連する情報を表示することを特徴とする画像表示プログラム。
【請求項３】
請求項２に記載の画像表示プログラムにおいて、
前記関連情報表示手順は、前記画像に関連する情報として文字列を表示する場合には、前記文字列を構成する文字の種類に応じて、前記文字列の表示向きを変更することを特徴とする画像表示プログラム。
【請求項４】
請求項３に記載の画像表示プログラムにおいて、
使用者による前記文字列の入力を受け付ける文字列入力受付手順をさらに含み、
前記関連情報表示手順は、前記文字列入力受付手順で入力を受け付けた前記文字列を構成する文字の種類に応じて、入力を受け付けた前記文字列の表示向きを変更することを特徴とする画像表示プログラム。
【請求項５】
請求項１に記載の画像表示プログラムにおいて、
連続再生中に、前記画像の移動方向を示す情報、および前記移動方向の変更を受け付けるための操作用ボタンの少なくともいずれか一方を、前記画像の移動方向に応じた表示位置に表示する移動方向情報表示手順をさらに含むことを特徴とする画像表示プログラム。
【請求項６】
請求項１に記載の画像表示プログラムにおいて、
前記複数の画像を所定の順番で切り替えながら表示する画像再生手順と、
前記画像再生手順で画像を再生しているときに、使用者による操作に基づいて、前記複数の画像の再生方法を前記連続再生へ変更する指示を受け付ける再生方法変更指示受付手順と、
前記再生方法変更指示受付手順で前記連続再生への変更指示を受け付けたときに、前記複数の画像の再生方法を、前記画像連続再生手順による前記連続再生に切り替える再生方法切替手順とをさらに含むことを特徴とする画像表示プログラム。
【請求項７】
請求項１〜６のいずれか一項に記載の画像表示プログラムを実行する実行手段と、
前記画像表示プログラムからの出力データを表示する表示手段とを備えることを特徴とする画像表示装置。
【請求項８】
複数の画像を所定の順番で一定の方向に連続して移動させながら表示して前記複数の画像を再生し、
画像を連続再生しているときに、使用者からの画像の移動方向の変更指示を受け付け、
画像の移動方向の変更指示を受け付けたときに、前記所定の順序を保持したまま、前記画像の移動方向を指示された方向に変更することを特徴とする画像表示方法。
【発明の詳細な説明】
【技術分野】
【０００１】
本発明は、画像表示プログラム、画像表示装置、および画像表示方法に関する。
【背景技術】
【０００２】
次のような再生装置が知られている。この再生装置は、画像のスライドショー再生時に、表示画像を移動させながら切り替えることによって、複数の画像を順番に表示している（例えば、特許文献１）。
【０００３】
【特許文献１】特開２００６−２３８０１２号公報
【発明の開示】
【発明が解決しようとする課題】
【０００４】
しかしながら、従来の再生装置では、表示画像を切り替える際の画像の移動方向は、一方向か、あるいはランダムに決定される方向であって、使用者が再生中に任意に移動方向を変更することはできなかった。
【課題を解決するための手段】
【０００５】
本発明による画像表示プログラム、および方法は、複数の画像を所定の順番で一定の方向に連続して移動させながら表示して複数の画像を再生し、画像を連続再生しているときに、使用者からの画像の移動方向の変更指示を受け付け、画像の移動方向の変更指示を受け付けたときに、所定の順序を保持したまま、画像の移動方向を指示された方向に変更することを特徴とする。
本発明では、連続再生中の各画像に関連する情報を、各画像に対応付けて表示し、画像の移動方向に応じた表示位置に、画像に関連する情報を表示するようにしてもよい。
画像に関連する情報として文字列を表示する場合には、文字列を構成する文字の種類に応じて、文字列の表示向きを変更するようにしてもよい。
使用者による文字列の入力を受け付け、入力を受け付けた文字列を構成する文字の種類に応じて、入力を受け付けた文字列の表示向きを変更するようにしてもよい。
連続再生中に、画像の移動方向を示す情報、および移動方向の変更を受け付けるための操作用ボタンの少なくともいずれか一方を、画像の移動方向に応じた表示位置に表示するようにしてもよい。
複数の画像を所定の順番で切り替えながら表示しているときに、使用者による操作に基づいて、複数の画像の再生方法を連続再生へ変更する指示を受け付け、連続再生への変更指示を受け付けたときに、複数の画像の再生方法を連続再生に切り替えるようにしてもよい。
本発明による画像表示装置は、画像表示プログラムからの出力データを表示する表示手段とを備えることを特徴とする。
【発明の効果】
【０００６】
本発明によれば、使用者は、画像再生中に画像の移動方向を変更することができる。
【発明を実施するための最良の形態】
【０００７】
図１は、本実施の形態における画像表示装置の一実施の形態の構成を示すブロック図である。画像表示装置１００は、例えばパソコン（パーソナルコンピュータ）であって、操作部材１０１と、接続ＩＦ（インターフェース）１０２と、制御装置１０３と、ＨＤＤ（ハードディスクドライブ）１０４と、モニタ１０５とを備えている。
【０００８】
操作部材１０１は、使用者によって操作される種々の装置、例えばキーボードやマウスを含む。接続ＩＦ１０２は、デジタルカメラなどの外部機器を接続するためのインターフェースであって、例えばデジタルカメラと有線接続を行うためのＵＳＢインターフェースや、無線接続を行うための無線ＬＡＮモジュールなどが使用される。本実施の形態では、例えば、この接続ＩＦ１０２を介してデジタルカメラから画像データが取り込まれる。
【０００９】
なお、本実施の形態では、接続ＩＦ１０２を介して取り込まれる画像データは、例えば、Ｅｘｉｆ（Ｅｘｃｈａｎｇｅａｂｌｅ  Ｉｍａｇｅ  Ｆｉｌｅ  Ｆｏｒｍａｔ  ｆｏｒ  Ｄｉｇｉｔａｌ  Ｓｔｉｌｌ  Ｃａｍｅｒａ）等の所定の形式の画像ファイルである。このＥｘｉｆ形式の画像ファイルは、所定の画像形式に圧縮された画像データ、例えばＪｐｅｇ形式の画像データを本画像として含み、さらに本画像を縮小して生成されたサムネイル画像や画像の撮影日時などを記録した付加情報部を含んでいる。
【００１０】
ＨＤＤ１０４は、接続ＩＦ１０２を介して取り込まれた画像データや、制御装置１０３で実行される種々のプログラム等を記録するための記録装置である。モニタ１０５は、例えば液晶モニタであって、制御装置１０３から出力される種々の表示用データが表示される。
【００１１】
制御装置１０３は、ＣＰＵ、メモリ、およびその他の周辺回路によって構成され、表示制御部１０３ａと、画像再生部１０３ｂとを機能的に備えている。なお、制御装置１０３を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、プログラム実行時に読み込まれる種々のパラメータなどが記録されている。
【００１２】
本実施の形態における画像表示装置１００は、使用者によって指定された複数枚の画像をモニタ１０５上に順番に表示して再生することができる。このとき、使用者は、画像の再生形式として、それぞれの画像を１枚ずつ順番に表示していく通常のスライドショー形式と、各画像を所定の順番で一定の方向に連続して移動させながら表示していく連続再生形式とのいずれかを選択することができる。例えば、本実施の形態では、使用者によって画像の再生が指示された場合には、表示制御部１０３ａは、図２に示す再生内容設定画面を表示して、使用者に上述した再生形式を含む再生内容の設定を促す。
【００１３】
図２に示す再生内容設定画面において、使用者は、「非連続で表示」２ａを選択することによって、画像の再生形式として通常のスライドショー形式を選択することができる。一方、使用者は、「連続して表示」２ｂを選択することによって、画像の再生形式として連続再生形式を選択することができる。
【００１４】
画像の再生形式として連続再生を選択した場合には、使用者は、さらに再生時に画像を移動させる方向として、「右から左」２ｃ、「左から右」２ｄ、「上から下」２ｅ、および「下から上」２ｆのいずれかを選択する。使用者によって画像の移動方向が選択されると、表示制御部１０３ａは、選択された移動方向で画像を再生した場合の再生例がサンプル表示例として、サンプル表示欄２ｇ内に表示される。図２に示す例では、使用者によって「下から上」２ｆが選択され、そのときの再生例がサンプル表示欄２ｇ内に表示されている。また、画像枚数表示欄２ｋには、使用者によってあらかじめ選択されている、再生対象の画像の枚数が表示される。
【００１５】
サンプル表示欄２ｇの表示内容について説明する。サンプル表示欄２ｇ内には、再生対象の画像２ｈが、指定された方向に移動しながら連続して表示される。ここでは、矢印２ｉに示すように、画像が下から上へ移動しながら連続して再生されている。なお、矢印２ｉは、説明のために図示したものであるため、実際の再生内容設定画面に表示する必要はないが、使用者が一目で画像の移動方向を把握できるように表示するようにしてもよい。また、各画像に付加されているコメントなどのテキスト文字列を表示するためのテキスト表示欄２ｊが各画像に対応付けられて表示されている。このテキスト表示欄２ｊ内には、例えば、画像ファイル内の付加情報部に記録されているテキスト情報が表示される。
【００１６】
使用者は、サンプル表示欄２ｇ内の表示内容を確認して、現在の再生内容で確定する場合には、操作部材１０１に含まれるマウスをクリックして、ＯＫボタン２ｌを押下する。これに対して、画像の再生を中止する場合には、キャンセルボタン２ｍを押下する。使用者によって、ＯＫボタン２ｌが押下された場合には、画像再生部１０３ｂは、使用者による再生内容設定画面での設定内容に基づいて、再生対象の画像を再生する。具体的には次のように処理する。なお、本実施の形態では、画像の再生形式のうち、画像を１枚ずつ切り替えて表示する通常のスライドショー形式が選択された場合の画像の再生方法については、公知の技術であるため説明を省略する。
【００１７】
画像再生部１０３ｂは、再生内容設定画面で設定された画像の移動方向に応じたレイアウトで画像、操作用ボタン、画像に関連する情報などを配置した画像再生画面を表示して、画像を連続再生する。具体的には、画像の移動方向に応じて図３、および図５〜図７のいずれかに示すレイアウトとなるように画像再生画面を生成する。
【００１８】
図３は、画像の移動方向として右から左が選択された場合の画像再生画面の具体例を示す図である。本実施の形態では、図３に示す画像再生画面を画像再生画面（右から左）と呼ぶ。この画像再生画面（右から左）においては、再生画像を表示するための画像再生領域３ａ、および画像再生の一時停止を指示するための一時停止ボタン３ｂまたは画像の再生を一時停止した後に、再生の再開を指示するための再生ボタン３ｃが配置されている。また、再生の進捗状況を表す情報としてのスライダーバー３ｄおよびスライダーバーつまみ３ｅ、画像の移動方向の変更を指示するための移動方向変更用ボタン３ｆ、および画像の再生形式の上述したスライドショー形式への切り替えを指示するための切替ボタン３ｇが配置されている。なお、画像の移動方向を表す矢印３ｈは、画像再生画面（右から左）における画像の移動方向を図面上で表すために記載したものであるため、実際の画面上には表示しなくてもよい。
【００１９】
画像再生領域３ａ内には、再生画像３ａ−１と、画像の撮影日を表示するための日付表示欄３ａ−２と、画像に付加されているテキストを表示するためのテキスト表示欄３ａ−３と、再生画像の切り替わり（ページの切り替わり）を表す境界線３ａ−４が配置されている。なお、ここでは、境界線３ａ−４で区切られる各領域をページと呼ぶ。本実施の形態では、画像再生部１０３ｂは、日付表示欄３ａ−２、およびテキスト表示欄３ａ−３を画像の移動方向に応じた位置に配置する。すなわち、画像再生部１０３ｂは、画像の移動方向が右から左である場合には、各ページは、左側部分から徐々に見えてくることを加味して、日付表示欄３ａ−２、およびテキスト表示欄３ａ−３を配置する。
【００２０】
また、画像再生部１０３ｂは、テキスト表示欄３ａ−３の配置向きを、テキスト表示欄３ａ−３内に表示される文字列を構成する文字の種類に応じて変更する。例えば、テキスト表示欄３ａ−３内に表示される文字列が全て１バイト文字で構成される場合には、画像再生部１０３ｂは、テキストを横書き表示する必要があると判定して、図３に示すようにテキスト表示欄３ａ−３を画像３ａ−１の上側にページの左側に寄せて横向きに配置する。一方、テキスト表示欄３ａ−３内に表示される文字列が２バイト文字を含んでいる場合には、テキストを縦書き表示することができると判定して、テキスト表示欄３ａ−３を画像３ａ−１の左側にページの上側に寄せて縦向きに表示する。
【００２１】
なお、画像再生領域３ａ内に表示される各ページにおける画像３ａ−１、日付表示欄３ａ−２、およびテキスト表示欄３ａ−３の配置位置は、あらかじめテンプレートとして定義されてＨＤＤ１０４に記録されている。テンプレートの具体例を図４に示す。画像再生部１０３ｂは、テキスト表示欄３ａ−３内に表示される文字列が全て１バイト文字で構成される場合には、図４（ａ）に示すテンプレート１を使用し、テキスト表示欄３ａ−３内に表示される文字列が２バイト文字を含んでいる場合には、図４（ｂ）に示すテンプレート２を使用する。
【００２２】
一時停止ボタン３ｂと再生ボタン３ｃとは、画像の再生状況に応じていずれか一方が表示される。すなわち、画像再生部１０３ｂは、画像の再生中は、一時停止ボタン３ｂのみを表示しておき、画像が一時停止されたときに一時停止ボタン３ｂを消去して、代わりに再生ボタン３ｃを表示する。その後、画像の再生が再開された場合には、再生ボタン３ｃを消去して、一時停止ボタン３ｂを表示する。なお、再生ボタン３ｃ上には、画像の移動方向（再生方向）を示す情報として左向きの三角形が描画されている。
【００２３】
なお、画像の再生中に一時停止ボタン３ｂが押下された場合には、画像再生部１０３ｂは、その時点で画像再生領域３ａ内に表示されているページのうち、表示されているページの面積が最も広いページが画像再生画面内の中央に位置するように、ページの表示位置を調整する。また、画像再生の再開が指示された場合には、画像再生部１０３ｂは、各ページを一時停止位置を開始位置として画像の移動を開始する。
【００２４】
画像再生部１０３ｂは、スライダーバー３ｄ上に、１目盛りが境界線で区切られた１ページを表すように目盛りを表示する。すなわち、スライダーバー３ｄ上に表示される目盛りは、再生対象のページの数を表している。また、画像再生部１０３ｂは、スライダーバー３ｄ上のスライダーバーつまみ３ｅを、再生の進行に伴って移動させる。なお、スライダーバーつまみ３ｅの形状は、右向きの三角形となっており、次ページがどちらの方向から現れるかを示している。
【００２５】
さらに、画像再生部１０３ｂは、画像の移動方向が右から左である場合には、再生が進むにつれて、スライダーバーつまみ３ｅをスライダーバー３ｄ上で左から右に向けて移動させる。使用者は、スライダーバー３ｄ上のスライダーバーつまみ３ｅ位置で再生の進捗状況を把握することができる。
【００２６】
使用者は、移動方向変更用ボタン３ｆを操作することによって、画像の移動方向を変更することができる。すなわち、移動方向変更用ボタン３ｆ内には上下左右方向に矢印が表示されており、使用者は、移動方向変更用ボタン３ｆ内のいずれかの矢印を押下することによって、移動方向の変更を指示することができる。
【００２７】
例えば、画像の移動方向を左から右に変更したい場合には、右向きの矢印をクリックする。画像の移動方向を上から下に変更したい場合には、下向きの矢印をクリックする。画像の移動方向を下から上へ変更したい場合には、上向きの矢印をクリックする。画像再生部１０３ｂは、使用者によって移動方向変更用ボタン３ｆ内のどの位置が押下されたかを検出して、その押下された位置に応じた方向に画像の移動方向を変更する。
【００２８】
なお、画像の移動方向を変更する場合には、画像再生部１０３ｂは、移動方向変更用ボタン３ｆが押下された時点で画像再生領域３ａ内に表示されているページのうち、表示されている面積が最も広いページから、新たな移動方向への移動を開始させる。
【００２９】
このために、画像再生部１０３ｂは、現在のスライダーバー３ｄ上におけるスライダーバーつまみ３ｅの位置（つまみ位置）を特定し、このつまみ位置に基づいて、画像再生の進み具合を判定する。そして、その進み具合を維持して、新たな移動方向への移動を開始する。なお、画像再生部１０３ｂは、移動方向変更前の画像の再生順序を保持したまま、変更後の移動方向へ画像の移動を再開する。
【００３０】
また、画像再生部１０３ｂは、使用者によって切替ボタン３ｇが押下された場合には、画像の連続再生を中止し、画像の再生形式を上述したスライドショー形式に変更する。このとき、画像再生部１０３ｂは、切替ボタン３ｇが押下された時点で画像再生画面上に表示されているページのうち、表示されている面積が大きいページ内に表示されている画像を先頭に通常のスライドショー形式での再生を開始する。
【００３１】
図５は、画像の移動方向として左から右が選択された場合の画像再生画面の具体例を示す図である。本実施の形態では、図５に示す画像再生画面を画像再生画面（左から右）と呼ぶ。なお、この図５と後述する図６および７においては、画像再生画面内に配置される各要素のうち、図３で上述した画像再生画面（右から左）における要素と対応するものには同一の符号を付与し、図３との相違点を中心に説明する。
【００３２】
画像再生画面（左から右）においては、矢印３ｈに示すように、画像は左から右方向へ移動する。このため、再生ボタン３ｃ上には、画像の移動方向を示す情報として右向きの三角形が描画されている。また、スライダーバーつまみ３ｅの形状は、左向きの三角形となっており、再生が進むにつれて、スライダーバー３ｄ上を右から左に向けて移動していく。
【００３３】
また、画像再生部１０３ｂは、画像再生領域３ａ内の日付表示欄３ａ−２、およびテキスト表示欄３ａ−３を画像の移動方向を加味して配置する。例えば、テキスト表示欄３ａ−３内に表示される文字列が２バイト文字を含んでいる場合には、画像再生部１０３ｂは、図４（ｃ）に示すテンプレート３を使用して、図５に示すようにテキスト表示欄３ａ−３を画像３ａ−１の右側に縦向きに表示する。これに対して、テキスト表示欄３ａ−３内に表示される文字列が全て１バイト文字である場合には、画像再生部１０３ｂは、図４（ｄ）に示すテンプレート４を使用して、テキスト表示欄３ａ−３を画像３ａ−１の上側にページの右側に寄せて横向きに表示する。
【００３４】
図６は、画像の移動方向として上から下が選択された場合の画像再生画面の具体例を示す図である。本実施の形態では、図６に示す画像再生画面を画像再生画面（上から下）と呼ぶ。この画像再生画面（上から下）と、図７で後述する画像再生画面（下から上）においては、画像は縦方向に移動しながら再生されるため、スライダーバー３ｄは、縦向きに表示されており、スライダーバーつまみ３ｅは、スライダーバー３ｄ上を上下方向に移動する。また、一時停止ボタン３ｂまたは再生ボタン３ｃはスライダーバー３ｄの上側に配置され、移動方向変更用ボタン３ｆおよび切替ボタン３ｇは、スライダーバー３ｄの下側に配置される。
【００３５】
この画像再生画面（上から下）においては、矢印３ｈに示すように、画像は上から下方向へ移動する。このため、再生ボタン３ｃ上には、画像の移動方向を示す情報として下向きの三角形が描画されている。また、スライダーバーつまみ３ｅの形状は、上向きの三角形となっており、再生が進むにつれて、スライダーバー３ｄ上を下から上に向けて移動していく。
【００３６】
また、画像再生部１０３ｂは、画像再生領域３ａ内の日付表示欄３ａ−２、およびテキスト表示欄３ａ−３を画像の移動方向を加味して配置する。例えば、テキスト表示欄３ａ−３内に表示される文字列が全て１バイト文字で構成されている場合には、画像再生部１０３ｂは、図４（ｅ）に示すテンプレート５を使用して、図６に示すようにテキスト表示欄３ａ−３を画像３ａ−１の下側にページの左側に寄せて横向きに表示する。これに対して、テキスト表示欄３ａ−３内に表示される文字列が２バイト文字を含んでいる場合には、画像再生部１０３ｂは、図４（ｆ）に示すテンプレート６を使用して、テキスト表示欄３ａ−３を画像３ａ−１の左側にページの下側に寄せて縦向きに表示する。
【００３７】
図７は、画像の移動方向として下から上が選択された場合の画像再生画面の具体例を示す図である。本実施の形態では、図７に示す画像再生画面を画像再生画面（下から上）と呼ぶ。この画像再生画面（下から上）においては、矢印３ｈに示すように、画像は下から上方向へ移動する。このため、再生ボタン３ｃ上には、画像の移動方向を示す情報として上向きの三角形が描画されている。また、スライダーバーつまみ３ｅの形状は、下向きの三角形となっており、再生が進むにつれて、スライダーバー３ｄ上を上から下に向けて移動していく。
【００３８】
また、画像再生部１０３ｂは、画像再生領域３ａ内の日付表示欄３ａ−２、およびテキスト表示欄３ａ−３を画像の移動方向を加味して配置する。例えば、テキスト表示欄３ａ−３内に表示される文字列が２バイト文字を含んでいる場合には、画像再生部１０３ｂは、図４（ｇ）に示すテンプレート７を使用して、図７に示すようにテキスト表示欄３ａ−３を画像３ａ−１の右側にページの上側に寄せて縦向きに表示する。これに対して、テキスト表示欄３ａ−３内に表示される文字列が全て１バイト文字で構成されている場合には、画像再生部１０３ｂは、図４（ｈ）に示すテンプレート８を使用して、テキスト表示欄３ａ−３を画像３ａ−１の上側にページの左側に寄せて横向きに表示する。
【００３９】
本実施の形態では、使用者は、画像の連続再生中に上述した一時停止ボタン３ｂを押下して再生を一時停止した場合には、テキスト表示欄３ａ−３内に表示する文字列を入力することができる。例えば、表示制御部１０３ａは、一時停止中にテキスト表示欄３ａ−３がクリックされたことを検出した場合には、図８に示すテキスト入力画面を表示する。使用者は、このテキスト入力画面上で、テキスト入力欄８ａにコメントなどのテキスト文字列を入力することができる。使用者によって、テキストが入力されてＯＫボタン８ｂが押下されると、表示制御部１０３ａは、入力されたテキストを対応する画像ファイルの付加情報部に記録する。
【００４０】
そして画像再生部１０３ｂは、再生画面上のテキスト表示欄３ａ−３に入力されたテキストを表示する。このとき、画像再生部１０３ｂは、入力されたテキストの中に２バイト文字を含むか否かを判断して、その画像を表示したページを生成するためのテンプレートを再選択する。なお、使用者は、テキスト入力画面上でキャンセルボタン８ｃを押下することにより、テキストの入力をキャンセルすることができる。
【００４１】
図９は、本実施の形態における画像表示装置１００の処理を示すフローチャートである。図９に示す処理は、図２に示した再生内容設定画面で、使用者によってＯＫボタン２ｌが押下されたときに起動するプログラムとして、制御装置１０３によって実行される。
【００４２】
ステップＳ１０において、画像再生部１０３ｂは、図２に示した再生内容設定画面で設定された画像の移動方向に応じて、画像再生画面内に配置する一時停止ボタン３ｂまたは再生ボタン３ｃ、移動方向変更用ボタン３ｆ、および切替ボタン３ｇの配置位置、スライダーバー３ｄの配置位置および配置方向、スライダーバーつまみ３ｅの形状（三角形の向き）、再生ボタン３ｃに表示する三角形の向きなどの画面レイアウトを決定する。その後、ステップＳ２０へ進む。
【００４３】
ステップＳ２０では、画像再生部１０３ｂは、再生対象として選択された複数の画像のうち、次に再生する表示する画像を選択する。例えば、使用者からの再生指示を受けた後、まだ１枚も再生を行っていないときには、次の画像として１枚目の画像が選択される。また、１枚目の画像を再生しているときには、次の画像として２枚目の画像が選択される。その後、ステップＳ３０へ進み、画像再生部１０３ｂは、再生形式として連続再生形式が選択されているか否かを判断する。
【００４４】
否定判断した場合には、ステップＳ４０へ進み、画像再生部１０３ｂは、再生対象画像を通常のスライドショー形式で再生して、ステップＳ５０へ進む。ステップＳ５０では、全ての再生対象画像の再生が終了したか否かを判断する。否定判断した場合には、ステップＳ１０へ戻って処理を繰り返す。これに対して、肯定判断した場合には、処理を終了する。一方、ステップＳ３０で否定判断した場合には、ステップＳ６０へ進む。
【００４５】
ステップＳ６０では、画像再生部１０３ｂは、図１０により後述するテンプレート選択処理を実行して、各ページにおける画像３ａ−１、日付表示欄３ａ−２、およびテキスト表示欄３ａ−３を配置するテンプレートを選択する。その後、ステップＳ７０へ進み、画像再生部１０３ｂは、テンプレートを使用して生成したページを選択された移動方向へ移動させながら連続再生する。その後、ステップＳ８０へ進む。
【００４６】
ステップＳ８０では、画像再生部１０３ｂは、使用者によって移動方向変更用ボタン３ｆが押下されたことにより、画像の移動方向の変更が指示されたか否かを判断する。否定判断した場合には、後述するステップＳ１３０へ進む。これに対して、肯定判断した場合には、ステップＳ９０へ進む。ステップＳ９０では、画像再生部１０３ｂは、上述したように、現在のスライダーバー３ｄ上におけるスライダーバーつまみ３ｅの位置（つまみ位置）を特定し、このつまみ位置に基づいて、画像再生の進み具合を判定する。
【００４７】
その後、ステップＳ１００へ進み、画像再生部１０３ｂは、新たな画像の移動方向に基づいて、図１０により後述するテンプレート選択処理を実行して、ステップＳ１１０へ進む。ステップＳ１１０では、画像再生部１０３ｂは、新たな画像の移動方向に応じて画面レイアウトを決定して、ステップＳ１２０へ進む。ステップＳ１２０では、指定された方向に画像の移動方向を変更して連続再生を開始する。その後、ステップＳ１３０へ進む。
【００４８】
ステップＳ１３０では、画像再生部１０３ｂは、使用者によって一時停止ボタン３ｂが操作されることにより、連続再生の一時停止が指示されたか否かを判断する。否定判断した場合には、上述したステップＳ５０へ進む。これに対して、肯定判断した場合には、ステップＳ１４０へ進む。ステップＳ１４０では、画像再生部１０３ｂは、表示されているページの面積が最も広いページが画像再生画面内の中央に位置するように、ページの表示位置を調整する。その後、ステップＳ１５０へ進み、画像再生部１０３ｂは、一時停止ボタン３ｂを消去し、再生ボタン３ｃを表示して、ステップＳ１６０へ進む。
【００４９】
ステップＳ１６０では、表示制御部１０３ａは、使用者によって一時停止中にテキスト表示欄３ａ−３がクリックされることにより、テキストの入力指示があったか否かを判断する。否定判断した場合には、後述するステップＳ２２０へ進む。これに対して、肯定判断した場合には、ステップＳ１７０へ進む。ステップＳ１７０では、表示制御部１０３ａは、図８に示したテキスト入力画面をモニタ１０５に表示して、ステップＳ１８０へ進む。
【００５０】
ステップＳ１８０では、表示制御部１０３ａは、使用者によってテキスト入力画面上でキャンセルボタン８ｃが押下されたか否かを判断する。肯定判断した場合には、後述するステップＳ２２０へ進む。一方、否定判断した場合には、ステップＳ１９０へ進み、表示制御部１０３ａは、使用者によってテキスト入力画面上でＯＫボタン８ｂが押下されたか否かを判断する。否定判断した場合には、ステップＳ１８０へ戻る。これに対して、肯定判断した場合には、ステップＳ２００へ進む。
【００５１】
ステップＳ２００では、画像再生部１０３ｂは、図１０で後述するテンプレート選択処理を実行して、入力されたテキストの種類に応じて使用するテンプレートを再選択する。その後、ステップＳ２１０へ進み、画像再生部１０３ｂは、再選択したテンプレートを使用したページを画像再生領域３ａ内に表示して、ステップＳ２２０へ進む。
【００５２】
ステップＳ２２０では、画像再生部１０３ｂは、使用者によってスライダーバーつまみ３ｅが移動されたか否かを判断する。肯定判断した場合には、ステップＳ２３０へ進み、画像再生部１０３ｂは、使用者によるつまみ操作に応じて、画像再生領域３ａ内に表示するページを切り替える。その後、ステップＳ２４０へ進む。これに対して、否定判断した場合には、そのままステップＳ２４０へ進む。
【００５３】
ステップＳ２４０では、画像再生部１０３ｂは、使用者によって再生ボタン３ｃが押下されたか否かを判断する。肯定判断した場合には、ステップＳ２４１へ進み、再生ボタン３ｃに代えて一時停止ボタン３ｂを表示してステップＳ２５０へ進む。ステップＳ２５０では、画像の連続再生を再開して、上述したステップＳ５０へ進む。これに対して、否定判断した場合には、ステップＳ２６０へ進む。ステップＳ２６０では、画像再生部１０３ｂは、使用者によって移動方向変更用ボタン３ｆが操作されたことにより、画像の移動方向の変更が指示されたか否かを判断する。
【００５４】
否定判断した場合には、ステップＳ１６０へ戻る。これに対して、肯定判断した場合には、ステップＳ２７０へ進み、画像再生部１０３ｂは、図１０で後述するテンプレート選択処理を実行し、変更後の移動方向に応じてテンプレートの再選択を行う。その後、上述したステップＳ５０へ進む。
【００５５】
次に、図１０を用いてテンプレート選択処理について説明する。ステップＳ３１０において、画像再生部１０３ｂは、画像の移動方向は右から左であるか否かを判断する。肯定判断した場合には、ステップＳ３２０へ進み、画像再生部１０３ｂは、テキスト表示欄３ａ−３内に表示される文字列が全て１バイト文字で構成されるか否かを判断する。肯定判断した場合には、ステップＳ３３０へ進み、画像再生部１０３ｂは、図４（ａ）に示したテンプレート１を選択して、ステップＳ４６０へ進む。ステップＳ４６０では、画像再生部は、選択したテンプレートを用いてページを生成して、図９に示す処理に復帰する。これに対して、ステップＳ３２０で否定判断した場合には、ステップＳ３４０へ進み、画像再生部１０３ｂは、図４（ｂ）に示したテンプレート２を選択して、ステップＳ４６０へ進む。
【００５６】
ステップＳ３１０で否定判断した場合には、ステップＳ３５０へ進む。ステップＳ３５０では、画像再生部１０３ｂは、移動方向は左から右であるか否かを判断する。肯定判断した場合には、ステップＳ３６０へ進み、画像再生部１０３ｂは、テキスト表示欄３ａ−３内に表示される文字列が全て１バイト文字で構成されるか否かを判断する。肯定判断した場合には、ステップＳ３７０へ進み、画像再生部１０３ｂは、図４（ｄ）に示したテンプレート４を選択して、ステップＳ４６０へ進む。これに対して、ステップＳ３６０で否定判断した場合には、ステップＳ３８０へ進み、画像再生部１０３ｂは、図４（ｃ）に示したテンプレート３を選択して、ステップＳ４６０へ進む。
【００５７】
ステップＳ３５０で否定判断した場合には、ステップＳ３９０へ進む。ステップＳ３９０では、画像再生部１０３ｂは、移動方向は上から下であるか否かを判断する。肯定判断した場合には、ステップＳ４００へ進み、画像再生部１０３ｂは、テキスト表示欄３ａ−３内に表示される文字列が全て１バイト文字で構成されるか否かを判断する。肯定判断した場合には、ステップＳ４１０へ進み、画像再生部１０３ｂは、図４（ｅ）に示したテンプレート５を選択して、ステップＳ４６０へ進む。これに対して、ステップＳ４００で否定判断した場合には、ステップＳ４２０へ進み、画像再生部１０３ｂは、図４（ｆ）に示したテンプレート６を選択して、ステップＳ４６０へ進む。
【００５８】
ステップＳ３９０で否定判断した場合、すなわち移動方向は下から上であると判断した場合には、ステップＳ４３０へ進む。ステップＳ４３０では、画像再生部１０３ｂは、テキスト表示欄３ａ−３内に表示される文字列が全て１バイト文字で構成されるか否かを判断する。肯定判断した場合には、ステップＳ４４０へ進み、画像再生部１０３ｂは、図４（ｈ）に示したテンプレート８を選択して、ステップＳ４６０へ進む。これに対して、ステップＳ４３０で否定判断した場合には、ステップＳ４５０へ進み、画像再生部１０３ｂは、図４（ｇ）に示したテンプレート７を選択して、ステップＳ４６０へ進む。
【００５９】
以上説明した本実施の形態によれば、以下のような作用効果を得ることができる。
（１）複数の画像を所定の順番で一定の方向に連続して移動させながら表示して連続再生しているときに、使用者からの画像の移動方向の変更指示を受け付けた場合には、所定の順序を保持したまま、画像の移動方向を指示された方向に変更するようにした。これによって、使用者は、画像の再生中にその移動方向を変更することができる。
【００６０】
（２）連続再生中の各画像に関連する情報を画像の移動方向に応じた表示位置に各画像に対応付けて表示するようにした。これによって、画像の移動方向に応じた見やすい位置に画像に関連する情報を表示することができ、使用者が当該情報を閲覧しやすくなる。例えば、画像再生部１０３ｂは、画像の移動方向が右から左である場合には、各ページは、左側部分から徐々に見えてくることを加味して、日付表示欄３ａ−２、およびテキスト表示欄３ａ−３を画像再生領域３ａ内の右側に寄せて配置するようにした。また、他の移動方向の場合にも、各ページが最初に見え始める側に日付表示欄３ａ−２、およびテキスト表示欄３ａ−３を寄せて配置するようにした。これによって、使用者は、画像が全て表示される前に、日付を確認したり、テキスト表示欄３ａ−３内に表示された文字を読み始めることができる。
【００６１】
（３）テキスト表示欄２ｊ内に表示する文字列を構成する文字の種類に応じて、文字列の表示向き（テキスト表示欄３ａ−３の配置向き）を変更するようにした。すなわち、テキスト表示欄３ａ−３内に表示される文字列が全て１バイト文字で構成される場合には、テキスト表示欄３ａ−３を横向きに配置し、テキスト表示欄３ａ−３内に表示される文字列が２バイト文字を含んでいる場合には、テキスト表示欄３ａ−３を縦向きに表示するようにした。これによって、テキスト表示欄３ａ−３内に表示される文字列が横書き表示する必要がある場合には横向きに配置し、縦書き表示が可能である場合には縦書き表示することで、使用者によって見やすい表示とすることができる。
【００６２】
（４）同様に、テキスト入力画面上で入力された文字列についても、その文字列を構成する文字の種類に応じて表示向きを変更するようにした。これによって、入力された文字についても、使用者が見やすいように表示することができる。
【００６３】
（５）連続再生中に、再生の進捗状況を示す情報であるスライダーバー３ｄおよびスライダーバーつまみ３ｅと、画像の移動方向の変更を受け付けるための操作用ボタンである移動方向変更用ボタン３ｆとを、画像の移動方向に応じた表示位置に表示するようにした。これによって、スライダーバー３ｄ、スライダーバーつまみ３ｅ、および移動方向変更用ボタン３ｆを画像の移動方向に応じた最適な位置に表示することができる。
【００６４】
（６）画像を通常のスライドショー再生しているときに、使用者による切替ボタン３ｇの操作に基づいて、連続再生に切り替えるようにした。これによって、使用者は、好みのタイミングでスライドショー再生と連続再生とを切り替えることができる。
【００６５】
―変形例―
なお、上述した実施の形態の画像表示装置は、以下のように変形することもできる。
（１）上述した実施の形態では、画像再生部１０３ｂは、再生の進捗状況を示す情報としてのスライダーバー３ｄおよびスライダーバーつまみ３ｅと、画像の移動方向の変更を受け付けるための操作用ボタンとしての移動方向変更用ボタン３ｆのそれぞれを、画像の移動方向に応じた表示位置に表示する例について説明した。しかしながら、スライダーバー３ｄおよびスライダーバーつまみ３ｅと、移動方向変更用ボタン３ｆの少なくともいずれか一方を、画像の移動方向に応じた表示位置に表示するようにしてもよい。
【００６６】
（２）上述した実施の形態では、画像再生部１０３ｂは、テキスト表示欄３ａ−３内に表示される文字列が全て１バイト文字で構成される場合には、テキストを横書き表示する必要があると判定して、テキスト表示欄３ａ−３を横向きに配置するようにした。一方、テキスト表示欄３ａ−３内に表示される文字列が２バイト文字を含んでいる場合には、テキストを縦書き表示することができると判定して、テキスト表示欄３ａ−３を縦向きに表示するようにした。しかしながら、テキストを横書き表示する必要があるか、あるいは縦書きで表示可能かを他の方法によって判断してもよい。
【００６７】
例えば、横書き表示が必要な言語の種類（例えば英語など）と、縦書き可能な言語の種類（例えば日本語など）とに関する情報をあらかじめ記録しておく。そして、画像再生部１０３ｂは、テキスト表示欄３ａ−３内に表示する文字列を解析して、それがどの言語の文字列であるかを判定し、その判定結果に応じてテキストを横書き表示する必要があるか、あるいは縦書きで表示可能かを判断してもよい。
【００６８】
（３）上述した実施の形態では、画像表示装置１００としてパソコンを用いる例について説明した。しかしながら、記録した画像を再生することができる他の情報機器、例えばデジタルカメラや携帯電話などを画像表示装置１００として用いることも可能である。
【００６９】
なお、本発明の特徴的な機能を損なわない限り、本発明は、上述した実施の形態における構成に何ら限定されない。
【図面の簡単な説明】
【００７０】
【図１】画像表示装置の一実施の形態の構成を示すブロック図である。
【図２】再生内容設定画面の具体例を示す図である。
【図３】画像再生画面（右から左）の具体例を示す図である。
【図４】テンプレートの具体例を示す図である。
【図５】画像再生画面（左から右）の具体例を示す図である。
【図６】画像再生画面（上から下）の具体例を示す図である。
【図７】画像再生画面（下から上）の具体例を示す図である。
【図８】テキスト入力画面の具体例を示す図である。
【図９】画像表示装置１００の処理を示すフローチャート図である。
【図１０】テンプレート選択処理を示すフローチャート図である。
【符号の説明】
【００７１】
１００  画像表示装置、１０１  操作部材、１０２  接続ＩＦ、１０３  制御装置、１０３ａ  表示制御部、１０３ｂ  画像再生部、１０４  ＨＤＤ、１０５  モニタ
【図１】
2009047777.tif 000003
【図２】
2009047777.tif 000004
【図３】
2009047777.tif 000005
【図４】
2009047777.tif 000006
【図５】
2009047777.tif 000007
【図６】
2009047777.tif 000008
【図７】
2009047777.tif 000009
【図８】
2009047777.tif 000010
【図９】
2009047777.tif 000011
【図１０】
2009047777.tif 000012